(57)【特許請求の範囲】
【請求項１】
スイッチユニットと、
前記スイッチユニットの上方に配置され、前記スイッチユニットへの入力操作を行うための操作ノブと、
前記操作ノブの下方に開口部を有し、前記スイッチユニットを収容するように配置されるハウジングと、を備え、
前記ハウジングに、前記スイッチユニットへの被水を抑制するための被水壁が、前記開口部を囲んで上方に突出するように設けられているスイッチ装置であって、
前記操作ノブは、ベース部材と加飾部品とからなり、
前記ベース部材は、操作者によって操作される操作部と、前記被水壁の外側方及び上方に間隙を介して配置される壁部と、前記加飾部品が装着される貫通孔と、前記加飾部品を係止するための被係合部と、を備え、
前記加飾部品は、前記操作ノブの外観を装飾する加飾部と、前記被係合部に係止されるフックを有し、前記ベース部材の前記貫通孔に挿入される挿入部と、を備え、上方からの平面視で前記挿入部が前記被水壁と前記壁部との間隙に配置されていることを特徴とするスイッチ装置。
【請求項２】
前記貫通孔は前記操作ノブの上端側に位置し、前記挿入部は前記貫通孔から下方側に向かって延在していることを特徴とする請求項１に記載のスイッチ装置。
【請求項３】
前記被水壁には前記操作ノブを軸支する支持部が設けられており、
前記操作ノブは、前記支持部に軸支されて揺動可能に配置されるとともに、揺動方向に沿って上方に持ち上げる操作力から前記加飾部を保護するように前記操作部が設けられていることを特徴とする請求項２に記載のスイッチ装置。
【請求項４】
前記ベース部材は、前記被水壁の上方に位置する前記壁部の一部が透光性の合成樹脂であることを特徴とする請求項１ないし請求項３のいずれかに記載のスイッチ装置。
【発明の詳細な説明】
【技術分野】
【０００１】
本発明は、加飾部品が組み込まれた操作ノブを備えるスイッチ装置に関する。
【背景技術】
【０００２】
車両用の操作部品や各種の電子機器において、高級感を演出する手法として、金属光沢等による装飾効果が多用されている（例えば、特許文献１）。特許文献１の車両用風向調整装置には、フック形状を有する樹脂製の加飾部品（フィニッシャ８１０）が操作ノブ８０７の装飾効果を上げるために前部に嵌合された構成が開示されている。一方、車両用のパワーウインドウ装置では、例えば、特許文献２の電気装置が知られている。
【０００３】
図１０は、特許文献１の車両用風向調整装置８００の構成を示す分解斜視図である。車両用風向調整装置８００は、図１０に示すように、操作ノブ８０７と、フィニッシャ８１０と、を備えている。操作ノブ８０７は、平板形状を有して水平方向に配置される上面板８０７ａと、平板形状を有して上面板８０７ａと対向配置される下面板８０７ｂと、上面板８０７ａおよび下面板８０７ｂの間を連結する図示しない連結部と、を備えている。フィニッシャ８１０は、上面板８０７ａと下面板８０７ｂとの隙間に嵌合しうる平板形状を有するとともに、操作ノブ８０７の連結部の側端部と係合可能なフック形状を有して平板形状の両側端から突設された一対の腕部８１０ｂを備えている。フィニッシャ８１０は、上面板８０７ａと下面板８０７ｂとの隙間に水平に挿入され、一対の腕部８１０ｂと操作ノブ８０７の連結部の両側端とが係合することによって、操作ノブ８０７に対して固定されている。
【０００４】
図１１は、特許文献２の電気装置９００の構成を示す分解斜視図である。電気装置９００は、スイッチ素子９０２と、上部ハウジング９０３と、操作つまみ９０５と、を備えている。特許文献２の電気装置９００は、例えば、車両ドアに配設されるため、図１１に示すように、上部ハウジング９０３の開口部９０７を覆うように操作つまみ９０５（操作ノブ）が取り付けられている。これにより、雨水で濡れてもスイッチ素子９０２が被水しないように構成される。上部ハウジング９０３は、上部に設けられた開口部９０７と、開口部９０７を囲んで上方に突出するように設けられた被水壁９０３ａと、を備え、スイッチ素子９０２の上方にスイッチ素子９０２を収容するように配置されている。また、被水壁９０３ａの側面には操作つまみ９０５を揺動操作可能に軸支する支持部９０３ｄが設けられている。操作つまみ９０５は、開口部９０７を蓋閉する形状を有する操作部９０８を備えており、上部ハウジング９０３の上方に開口部９０７を覆うように配置されている。また、操作部９０８には支持部９０３ｄと嵌合しうる軸孔９０５ａが設けられている。操作部９０８の開口端部と、軸孔９０５ａと、が開口部９０７の開口端部よりも下方に配置される構成となるため、上部ハウジング９０３内部に配置されたスイッチ素子９０２は被水する虞が少なくなっている。
【先行技術文献】
【特許文献】
【０００５】
【特許文献１】特開２００２−１９２９３９号公報
【特許文献２】特開２００７−２０７５６３号公報
【発明の概要】
【発明が解決しようとする課題】
【０００６】
しかしながら、特許文献２のような操作ノブの下方にスイッチユニットが配置されているスイッチ装置に、操作ノブの装飾効果を上げるために特許文献１のような加飾部品を組み合わせると、加飾部品の挿入部に沿って雨水等がハウジング内に浸入し、ハウジング内のスイッチユニットが被水してしまう虞があった。このため、高級感を演出するために加飾部品を用いると、被水対策のために大型化してしまったり、構造が複雑になったりするという課題があった。
【０００７】
本発明は、上述した課題を解決するもので、操作ノブに加飾部品を用いていても、単純な構造のままで、スイッチユニットへの被水を抑制できるスイッチ装置を提供することを目的とする。
【課題を解決するための手段】
【０００８】
この課題を解決するために、本発明のスイッチ装置は、スイッチユニットと、前記スイッチユニットの上方に配置され、前記スイッチユニットへの入力操作を行うための操作ノブと、前記操作ノブの下方に開口部を有し、前記スイッチユニットを収容するように配置されるハウジングと、を備え、前記ハウジングに、前記スイッチユニットへの被水を抑制するための被水壁が、前記開口部を囲んで上方に突出するように設けられているスイッチ装置であって、前記操作ノブは、ベース部材と加飾部品とからなり、前記ベース部材は、操作者によって操作される操作部と、前記被水壁の外側方及び上方に間隙を介して配置される壁部と、前記加飾部品が装着される貫通孔と、前記加飾部品を係止するための被係合部と、を備え、前記加飾部品は、前記操作ノブの外観を装飾する加飾部と、前記被係合部に係止されるフックを有し、前記ベース部材の前記貫通孔に挿入される挿入部と、を備え、上方からの平面視で前記挿入部が前記被水壁と前記壁部との間隙に配置されていることを特徴としている。
【０００９】
この構成によれば、上方からの平面視で挿入部が被水壁と壁部との間隙に配置されているので、操作ノブに加飾部品を用いていても、外部に掛かった水は挿入部に沿って伝わり、被水壁の外側に流れ出るため、開口部からハウジング内に浸入する可能性は少ない。したがって、単純な構造のままで、スイッチユニットへの被水を抑制できる。
【００１０】
また、本発明のスイッチ装置は、前記貫通孔は前記操作ノブの上端側に位置し、前記挿入部は前記貫通孔から下方側に向かって延在していることを特徴としている。
【００１１】
これによれば、挿入部を水平挿入しないので、操作ノブの上端側の壁部と被水壁の上方との間にフックや被係合部用の配置スペースが必要ないため、被水壁の高さを低くしなくても操作ノブが上下方向に大型化しない。
【００１２】
また、本発明のスイッチ装置は、前記被水壁には前記操作ノブを軸支する支持部が設けられており、前記操作ノブは、前記支持部に軸支されて揺動可能に配置されるとともに、揺動方向に沿って上方に持ち上げる操作力から前記加飾部を保護するように前記操作部が設けられていることを特徴としている。
【００１３】
これによれば、操作者が持ち上げ操作する際に、加飾部品には手が掛かりにくいので、挿入部が被係合部から外れる懸念が少ない。
【００１４】
また、本発明のスイッチ装置は、前記ベース部材は、前記被水壁の上方に位置する前記壁部の一部が透光性の合成樹脂であることを特徴としている。
【００１５】
これによれば、被水壁の上方に位置する壁部の真下にフックや被係合部がないので、ハウジング内部からの照光が遮られることなく、透光性の合成樹脂を通して明るく照光できる。
【発明の効果】
【００１６】
本発明のスイッチ装置は、上方からの平面視で挿入部が被水壁と壁部との間隙に配置されているので、操作ノブに加飾部品を用いていても、外部に掛かった水は挿入部に沿って伝わり、被水壁の外側に流れ出るため、開口部からハウジング内に浸入する可能性は少ない。したがって、単純な構造のままで、スイッチユニットへの被水を抑制することが可能なスイッチ装置を提供できる。
【図面の簡単な説明】
【００１７】
【図１】本発明の第１実施形態のスイッチ装置を示す上方斜視図である。
【図２】スイッチ装置をＺ１方向から見た上面図である。
【図３】スイッチ装置をＸ２方向から見た側面図である。
【図４】スイッチ装置をＹ１方向から見た正面図である。
【図５】スイッチ装置の分解斜視図である。
【図６】図１のハウジングを示す外観図であり、図６（ａ）はＺ１方向から見た上面図、図６（ｂ）はＸ２方向から見た側面図である。
【図７】スイッチ装置の断面図であり、図７（ａ）は図４のＩ−Ｉ線に沿って切断してＸ２方向から見た模式断面図であり、図７（ｂ）は図３のＨ−Ｈ線に沿って切断してＺ１方向から見た模式断面図である。
【図８】操作ノブをＸ２方向から見た側面図である。
【図９】操作ノブの説明図であり、図９（ａ）はＺ１方向から見た上面図であり、図９（ｂ）は図９（ａ）のＪ−Ｊ線に沿って切断してＸ２方向から見た模式断面図である。
【図１０】従来の車両用風向調整装置の構成を示す分解斜視図である。
【図１１】従来の電気装置の構成を示す分解斜視図である。
【発明を実施するための形態】
【００１８】
［第１実施形態］
以下、本発明の第１実施形態のスイッチ装置１の構成について図１から図９（ｂ）を用いて説明する。図１は、本発明の第１実施形態のスイッチ装置１を示す上方斜視図である。図２は、スイッチ装置１をＺ１方向から見た上面図である。図３は、スイッチ装置１をＸ２方向から見た側面図である。図４は、スイッチ装置１をＹ１方向から見た正面図である。図５は、スイッチ装置１の分解斜視図である。図６は、図１のハウジング３０を示す外観図であり、図６（ａ）はＺ１方向から見た上面図、図６（ｂ）はＸ２方向から見た側面図である。図７は、スイッチ装置１の断面図であり、図７（ａ）は図４のＩ−Ｉ線に沿って切断してＸ２方向から見た模式断面図であり、図７（ｂ）は図３のＨ−Ｈ線に沿って切断してＺ１方向から見た模式断面図である。図８は、操作ノブ４０をＸ２方向から見た側面図である。図９は、操作ノブ４０の説明図であり、図９（ａ）はＺ１方向から見た上面図であり、図９（ｂ）は図９（ａ）のＪ−Ｊ線に沿って切断してＸ２方向から見た模式断面図である。
【００１９】
スイッチ装置１は、車両用のパワーウインドウ装置の入力切替を行うためのスイッチ装置である。尚、本実施形態において、判り易くするために、図１に示すＸ１方向を右方、Ｘ２方向を左方、Ｙ１方向を前方、Ｙ２方向を後方、Ｚ１方向を上方、Ｚ２方向を下方、と呼ぶ。
【００２０】
スイッチ装置１は、図１から図５に示すように、スイッチユニット１０と、スイッチユニット１０を実装する基板２０と、スイッチ装置１の外殻を形成するハウジング３０と、上下方向に揺動操作可能に設けられた操作ノブ４０と、を備えている。スイッチ装置１は、操作者が操作ノブ４０の上面前側または操作ノブ４０の前方側の外側面の上部に設けられた操作部４１ｂに触れて操作ノブ４０を揺動させる操作力をスイッチユニット１０の駆動レバーに伝達し、電気信号に変換する構成を備えている。
【００２１】
スイッチユニット１０は、上方から操作可能に設けられた２つの駆動レバー１０ａ、１０ｂと、これに対応するスイッチ素子と、出力端子１１と、を備えている。スイッチユニット１０は、駆動レバー１０ａ、１０ｂのいずれか一方に操作力が掛けられたとき、対応するスイッチ素子の開閉を行って出力端子１１から特定の電気信号を出力する電気部品である。出力端子１１は、基板２０に設けられたスルーホール２１に実装可能な寸法と配置とを備えた出力端子である。出力端子１１は、スイッチユニット１０の下部の外周部から下方に突出して複数設けられている。スイッチユニット１０は、ハウジング３０に覆われて開口部３１の下方に配置された基板２０のＺ１方向側の面に実装されている。
【００２２】
基板２０は、スイッチユニット１０を実装する配線基板である。基板２０は、水平に設けられた長方形の形状で、Ｚ１方向側の面にスイッチユニット１０が実装可能であって、ハウジング３０の内部に収容可能な寸法を有している。基板２０は、出力端子１１に対応して設けられたスルーホール２１と、外部機器接続用の出力端子を実装可能に設けられたスルーホール２２と、スルーホール２１とスルーホール２２とを接続する図示しない配線と、を備えている。また、Ｚ１方向側の面に実装され、Ｚ１方向に向けて任意に発光可能な光源２３を備えている。光源２３には、例えば、発光ダイオード（Ｌｉｇｈｔ  Ｅｍｉｔｔｉｎｇ  Ｄｉｏｄｅ、ＬＥＤ）が用いられる。尚、スルーホール２１と、出力端子１１と、は半田付けによって接続されている。
【００２３】
ハウジング３０は、合成樹脂を成形してなる成形体である。ハウジング３０は、図５から図７（ｂ）に示すように、下方側が開放された略箱型の形状を有している。ハウジング３０は、上方側の面の一部が開放して設けられた開口部３１を備えている。開口部３１は、ハウジング３０を上方から見たとき長方形の形状を有している。開口部３１は、スイッチユニット１０の配置される位置の上方に設けられている。ハウジング３０は、スイッチユニット１０の上方にスイッチユニット１０を収容するように配置されている。開口部３１の開口端部からは、開口部３１を囲んでスイッチユニット１０への被水を抑制するための被水壁３２が、上方に突出するように設けられている。そのため、車両の窓から雨水等が吹き込んで開口部３１の開口端部より下方の位置に掛かるとき、その水は、ハウジング３０の外側面に沿って流れ落ちることとなり、ハウジング３０内に水が浸入する可能性は少なくなっている。被水壁３２の外側面には、操作ノブ４０を軸支する円柱状の支持部３３が設けられている。支持部３３は、Ｘ１方向側の被水壁３２の外側面の上部のややＹ２方向寄りの一部と、Ｘ２方向側の被水壁３２との外側面の上部のややＹ２方向寄りの一部と、から、外側方に向かって突出して左右対称に設けられている。
【００２４】
操作ノブ４０は、操作ノブ４０の外形を構成する合成樹脂の成型体からなるベース部材４１と、ベース部材４１を加飾する加飾部品４２と、を備えている。操作ノブ４０は、操作者からの入力操作の操作力が加えられる操作部材である。この操作ノブ４０に加飾部品４２を備えていることにより、スイッチ装置１は装飾性を高められて、高級感が演出されている。
【００２５】
操作ノブ４０のベース部材４１は、図５および図７から図９に示すように、下方側が開放された略箱形の形状を有している。ベース部材４１は、被水壁３２の外側方及び上方に間隙を介して配置される壁部４１ａと、操作者によって操作される操作部４１ｂと、加飾部品４２が装着される貫通孔４１ｃと、加飾部品４２を係止するための被係合部４１ｄと、を備えている。また、支持部３３に対応して設けられた支持孔４１ｆと、操作者からの操作力を駆動レバー１０ａおよび駆動レバー１０ｂに伝達する操作突起４１ｇと、透光性の合成樹脂からなり上方側の壁部４１ａに設けられた透光性部材４３と、を備えている。上方側の壁部４１ａの上面には、前方側の端部を含む領域に水平な平坦部４１ｅが設けられている。平坦部４１ｅは、操作ノブ４０が下方に揺動操作されるとき、下方向へ押し下げる操作力を加えられる部位である。操作部４１ｂは、前方側の壁部４１ａの外側面に設けられている。操作部４１ｂは、操作ノブ４０が上方に揺動操作されるとき、上方へ持ち上げる操作力を加えられる部位である。操作部４１ｂには、表面には指を滑り難くするための凹凸形状が形成されている。また、操作部４１ｂは、上部が前方側に張り出した斜面の形状に設けられているので、操作者が揺動方向に沿って操作ノブ４０を上方に持ち上げる操作力から加飾部品４２の加飾部４２ａを保護することができる。操作突起４１ｇは、上方側の壁部４１ａの下面の一部から下方に突出して設けられた突出部である。操作突起４１ｇは、操作ノブ４０の揺動操作に伴って、下端が駆動レバー１０ａ、１０ｂのいずれか一方に触れて、スイッチユニット１０を操作可能な寸法を有している。支持孔４１ｆは、支持部３３と嵌合可能な寸法を有する円形の孔である。支持孔４１ｆは、Ｘ１方向側の壁部４１ａの外側面と、Ｘ２方向側の壁部４１ａの外側面と、に一対設けられている。支持孔４１ｆと支持部３３とが回転可能に支持されることにより、操作ノブ４０は支持部３３に軸支されて揺動可能に配置されている。透光性部材４３は、被水壁３２の上方に位置する壁部４１ａの一部に埋設されて、その一部が平坦部４１ｅに露出している。透光性部材４３と、ベース部材４１と、は二色成形法によって形成されている。基板２０上に設けられたＬＥＤから照射された光は、透光性部材４３を通して操作ノブ４０の上方から視認可能となっている。
【００２６】
次に、本実施形態の特徴部分である操作ノブ４０の加飾部品４２と、ベース部材４１への装着について図７（ａ）から図９（ｂ）を用いて説明する。加飾部品４２は、表面に金属めっきを施した合成樹脂の成形体である。加飾部品４２は、操作ノブ４０の外観を装飾する加飾部４２ａと、ベース部材４１に挿入される挿入部４２ｂと、を備えている。加飾部４２ａは、略四角柱の形状を有している。挿入部４２ｂは、加飾部４２ａの下側から下方へ突出して設けられている。挿入部４２ｂは、略四角柱の形状を有している。挿入部４２ｂの先端側には、かぎ形状を有するフック４２ｃが形成されている。一方、ベース部材４１における平坦部４１ｅの前方側の端部には、加飾部４２ａと嵌合する寸法を有する溝が形成されており、その溝の底部から下方に向けて挿入部４２ｂを挿入する貫通孔４１ｃが形成されている。貫通孔４１ｃは、ベース部材４１の上端側に設けられている。尚、貫通孔４１ｃは、右方寄りと左方寄りとに合計２つ形成されている。貫通孔４１ｃは、挿入部４２ｂを挿入可能な略四角形の形状を有する孔である。貫通孔４１ｃは、上方からの平面視で壁部４１ａと被水壁３２との間の位置に設けられている。被係合部４１ｄは、フック４２ｃと係合可能な寸法を有して、貫通孔４１ｃの下方側に設けられている。フック４２ｃと被係合部４１ｄとが係止することによって、加飾部品４２はベース部材４１に固定されている。尚、本実施形態において、挿入部４２ｂは、フック４２ｃと被係合部４１ｄとが係止されるときフック４２ｃが被係合部４１ｄ側に付勢されるように、僅かに湾曲した形状を有して形成されている。これにより、操作ノブ４０は、ベース部材４１と、加飾部品４２と、がガタつくこと無く係合して、強度を低下させず１つの操作部材となっている。
【００２７】
上述したように、操作部４１ｂは、操作者が揺動方向に沿って操作ノブ４０を上方に持ち上げる操作力から加飾部品４２の加飾部４２ａを保護する形状を有して配置されているため、加飾部４２ａには、ベース部材４１と加飾部品４２とを分離する力が加えられ難い構成となっている。そのため、フック４２ｃおよび被係合部４１ｄの寸法は、必要以上に大きくする必要は無い。
【００２８】
操作ノブ４０は、スイッチユニット１０の上方に、開口部３１を蓋閉するようにして配置されている。さらに、操作ノブ４０は、開口部３１より上方には、貫通孔４１ｃ以外の孔が無い構成となっている。そのため、車両の窓から雨水等が吹き込んで開口部３１の開口端部より下方の位置に掛かるとき、その水は、ハウジング３０の外側面に沿って流れ落ちることとなる。そのため、ハウジング３０内に水が浸入する可能性は少なくなっている。また、貫通孔４１ｃと、挿入部４２ｂと、は、壁部４１ａと被水壁３２との間隙に格納されて、貫通孔４１ｃの上方側から下方側に向かって延在して設けられ、被水壁３２を含むハウジング３０の寸法を圧迫しない構成となっている。そのため、本実施例のスイッチ装置１は、被水壁３２を低くする必要は無い。また、操作ノブ４０を上下方向に大型化する必要は無い。
【００２９】
次に、本実施形態のスイッチ装置１の上方から貫通孔４１ｃの内部に水が浸入したとき、その水が流れ落ちる経路について説明する。上述したように、貫通孔４１ｃは上方からの平面視で壁部４１ａと被水壁３２との間の位置に設けられているので、挿入部４２ｂは、同様に、壁部４１ａと被水壁３２との間隙に格納されている。そのため、車両の窓から吹き込んだ雨水等が貫通孔４１ｃの内部に浸入したとき、その水は、挿入部４２ｂの下端から下方へ滴り落ちるか、または、Ｙ１方向側の壁部４１ａの内側面に沿って流れ落ち、壁部４１ａの下端から下方へ滴り落ちることとなる。そのため、ハウジング３０内に水が浸入する可能性は少ない。
【００３０】
このように、本発明の第１実施形態のスイッチ装置１は、スイッチユニット１０と、スイッチユニット１０の上方に配置され、スイッチユニット１０への入力操作を行うための操作ノブ４０と、操作ノブ４０の下方に開口部３１を有し、スイッチユニット１０を収容するように配置されるハウジング３０と、を備え、ハウジング３０に、スイッチユニット１０への被水を抑制するための被水壁３２が、開口部３１を囲んで上方に突出するように設けられているスイッチ装置であって、操作ノブ４０は、ベース部材４１と加飾部品４２とからなり、ベース部材４１は、操作者によって操作される操作部４１ｂと、被水壁３２の外側方及び上方に間隙を介して配置される壁部４１ａと、加飾部品４２が装着される貫通孔４１ｃと、加飾部品４２を係止するための被係合部４１ｄと、を備え、加飾部品４２は、ベース部材４１の貫通孔４１ｃに収容されて操作ノブ４０の外観を装飾する加飾部４２ａと、被係合部４１ｄに係止されるフック４２ｃを有する挿入部４２ｂを備え、上方からの平面視で挿入部４２ｂが被水壁３２と壁部４１ａとの間隙に配置されている。この構成によれば、上方からの平面視で挿入部４２ｂが被水壁３２と壁部４１ａとの間隙に配置されているので、操作ノブ４０に加飾部品４２を用いていても、外部に掛かった水は挿入部４２ｂに沿って伝わり、被水壁３２の外側に流れ出るため、開口部３１からハウジング３０内に浸入する可能性は少ない。したがって、単純な構造のままで、スイッチユニット１０への被水を抑制できる。
【００３１】
また、本発明の第１実施形態のスイッチ装置１は、貫通孔４１ｃは操作ノブ４０の上端側に位置し、挿入部４２ｂは貫通孔４１ｃから下方側に向かって延在している。これによれば、水平挿入ではないので、操作ノブ４０の上端側の壁部４１ａと被水壁３２の上方との間にフック４２ｃや被係合部４１ｄ用の配置スペースが必要ないため、被水壁３２の高さを低くしなくても操作ノブ４０が上下方向に大型化しない。
【００３２】
また、本発明の第１実施形態のスイッチ装置１は、被水壁３２には操作ノブ４０を軸支する支持部３３が設けられており、操作ノブ４０は、支持部３３に軸支されて揺動可能に配置されるとともに、揺動方向に沿って上方に持ち上げる操作力から加飾部４２ａを保護するように操作部４１ｂが設けられている。これによれば、操作者が持ち上げ操作する際に、加飾部品４２には手が掛かりにくいので、挿入部４２ｂが被係合部４１ｄから外れる懸念が少ない。
【００３３】
また、本発明の第１実施形態のスイッチ装置１は、ベース部材４１は、被水壁３２の上方に位置する壁部４１ａの一部（透光性部材４３）が透光性の合成樹脂である。これによれば、被水壁３２の上方に位置する壁部４１ａの真下にフック４２ｃや被係合部４１ｄがないので、ハウジング３０内部からの照光が遮られることなく、透光性の合成樹脂を通して明るく照光できる。
【００３４】
尚、本発明は上記第１実施形態に限定されるものではなく、要旨を逸脱しない範囲で種々変更して実施することができる。例えば次のように変形して実施することができ、これらの形態も本発明の技術的範囲に属する。
【００３５】
上記第１実施形態では、加飾部品４２は、表面に金属めっきを施した合成樹脂の成形体であったが、加飾部品４２は、金属製の部品であってもよい。
【００３６】
上記第１実施形態では、加飾部４２ａは、柱形状を有していたが、加飾部４２ａは、操作者が操作部４１ｂにＹ２方向へ引っ張る操作力を加えるときに、力を受けにくい形状であればよく、例えば平板形状であってもよい。
【００３７】
上記第１実施形態では、フック４２ｃは、Ｙ２方向側に突出して設けられていたが、フック４２ｃは、被係合部４１ｄと係合してベース部材４１と加飾部品４２とを係止可能な形状であればよく、例えばＹ１方向側に突出して設けられていてもよい。
【００３８】
上記第１実施形態では、２つのフック４２ｃが両方とも一方向（Ｙ２方向）側に突出して設けられていたが、それぞれのフック４２ｃが、別々の方向に突出して設けられた構成となっていてもよい。
【００３９】
上記第１実施形態では、操作部４１ｂは、略直線的な斜面として設けられていたが、操作者の指の形状に合わせて湾曲した形状となっていてもよい。
【００４０】
また、上記第１実施形態では、支持部３３は円柱状に設けられていたが、支持部３３は支持孔４１ｆと勘合して操作ノブ４０を揺動可能に軸支可能な形状を有していればよく、例えば円錐形状に設けられていてもよい。
【符号の説明】
【００４１】
１      スイッチ装置
１０    スイッチユニット
１０ａ  駆動レバー
１０ｂ  駆動レバー
１１    出力端子
２０    基板
２１    スルーホール
２２    スルーホール
２３    光源
３０    ハウジング
３１    開口部
３２    被水壁
３３    支持部
４０    操作ノブ
４１    ベース部材
４１ａ  壁部
４１ｂ  操作部
４１ｃ  貫通孔
４１ｄ  被係合部
４１ｅ  平坦部
４１ｆ  支持孔
４１ｇ  操作突起
４２    加飾部品
４２ａ  加飾部
４２ｂ  挿入部
４２ｃ  フック
４３    透光性部材
【図１】
0006399598.tif 000002
【図２】
0006399598.tif 000003
【図３】
0006399598.tif 000004
【図４】
0006399598.tif 000005
【図５】
0006399598.tif 000006
【図６】
0006399598.tif 000007
【図７】
0006399598.tif 000008
【図８】
0006399598.tif 000009
【図９】
0006399598.tif 000010
【図１０】
0006399598.tif 000011
【図１１】
0006399598.tif 000012